(57)【要約】【課題】多色画像を構成する基本色の混合割合を変化させた場合に、作成する単色画像の輝度が著しく低下することなく、視認性が維持される画像作成装置を提供する。【解決手段】画像作成装置５は、多色画像が入力される画像入力部３０と、複数の色成分のそれぞれを混合する割合を示す第１の混合割合が入力される第１混合割合入力部３４と、前記入力された第１の混合割合に基づき、それぞれの総和が一定になるように第２の混合割合を色成分毎に算出する第２混合割合算出部３６と、前記多色画像の色成分を前記算出された第２の混合割合に応じて混合することで単色画像を作成する単色画像作成部３８と、を備える。【選択図】図２
2011130510.tif 000002
【特許請求の範囲】
【請求項１】
多色画像が入力される画像入力部と、
複数の色成分のそれぞれを混合する割合を示す第１の混合割合が入力される混合割合入力部と、
前記入力された第１の混合割合に基づき、それぞれの色成分の総和が略一定になるように第２の混合割合を算出する算出部と、前記多色画像の色成分を前記算出された第２の混合割合に応じて混合することで単色画像を作成する作成部と、
を備えることを特徴とする画像作成装置。
【請求項２】
請求項１に記載の画像作成装置において、
前記作成部は、更に、
前記多色画像の色成分を前記入力された第１の混合割合に応じて混合することで単色画像を作成すると共に、
前記作成部で作成する単色画像を、前記第１の混合割合に応じて作成するか、または前記第２の混合割合に応じて作成するかを選択するための選択部を更に備えることを特徴とする画像作成装置。
【請求項３】
請求項１乃至２に記載の画像作成装置において、
前記複数の色成分は３色から成り、ＲＧＢおよびＣＭＹの何れかであることを特徴とする画像作成装置。
【請求項４】
請求項１乃至３のいずれか１項に記載の画像作成装置において、前記算出部は、前記第２の混合割合のうち前記複数の色成分の１つが連続して増減した場合、前記第２の混合割合のうち他の色成分をそれぞれ等しく連続して減増させ、前記第２の混合割合のそれぞれの色成分の総和を略一定に維持することを特徴とする画像作成装置。
【請求項５】
請求項１乃至４のいずれか１項に記載の画像作成装置において、
前記算出部は、前記第１の混合割合のそれぞれが等しい場合、前記第２の混合割合もそれぞれ等しくなるように算出することを特徴とする画像作成装置。
【請求項６】
請求項１乃至５のいずれか１項に記載の画像作成装置において、
前記単色画像は、白黒画像であることを特徴とする画像作成装置。
【請求項７】
請求項３乃至６のいずれか１項に記載の画像作成装置において、
前記算出部は、前記第２の混合割合の算出に際して、
ｂ’Ｒ＝ｂＲ／（ｂＲ＋ｂＧ＋ｂＢ）＋ｋ
ｂ’Ｇ＝ｂＧ／（ｂＲ＋ｂＧ＋ｂＢ）＋ｋ
ｂ’Ｂ＝ｂＢ／（ｂＲ＋ｂＧ＋ｂＢ）＋ｋ
ｂＲ，ｂＧ，ｂＢ：各基本色の第１の混合割合
ｂ’Ｒ，ｂ’Ｇ，ｂ’Ｂ：各基本色の第２の混合割合
ｋ：所定の定数
で示される演算式を用いることを特徴とする画像作成装置。
【請求項８】
請求項７に記載の画像作成装置において、
ｂＲ＋ｂＧ＋ｂＢ＝０
で示される関係となる場合、（ｂＲ＋ｂＧ＋ｂＢ）の値を０以外の所定の値に置換することを特徴とする画像作成装置。
【請求項９】
請求項３乃至６のいずれか１項に記載の画像作成装置において、
前記算出部は、前記第２の混合割合の算出に際して、
ｂ’Ｒ＝ｂＲ−（αｂＲ＋βｂＧ＋γｂＢ）／（α＋β＋γ）＋ｋ
ｂ’Ｇ＝ｂＧ−（γｂＲ＋αｂＧ＋βｂＢ）／（α＋β＋γ）＋ｋ
ｂ’Ｂ＝ｂＢ−（βｂＲ＋γｂＧ＋αｂＢ）／（α＋β＋γ）＋ｋ
ｂＲ，ｂＧ，ｂＢ：各基本色の第１の混合割合
ｂ’Ｒ，ｂ’Ｇ，ｂ’Ｂ：各基本色の第２の混合割合
α、β、γ、ｋ：所定の定数
で示される演算式を用いることを特徴とする画像作成装置。
【請求項１０】
多色画像が入力される画像入力工程と、
複数の色成分のそれぞれを混合する割合を示す第１の混合割合が入力される混合割合入力工程と、
前記入力された第１の混合割合に基づき、それぞれの色成分の総和が略一定になるように第２の混合割合を算出する算出工程と、
前記多色画像の色成分を前記算出された第２の混合割合に応じて混合することで単色画像を作成する作成工程と、
を備えることを特徴とする画像作成方法。
【請求項１１】
多色画像が入力される画像入力手順と、
複数の色成分のそれぞれを混合する割合を示す第１の混合割合が入力される混合割合入力手順と、
前記入力された第１の混合割合に基づき、それぞれの色成分の総和が略一定になるように第２の混合割合を算出する算出手順と、
前記多色画像の色成分を前記算出された第２の混合割合に応じて混合することで単色画像を作成する作成手順と、
をコンピュータに実行させることを特徴とする画像作成プログラム。
【発明の詳細な説明】
【技術分野】
【０００１】
本発明は、カラー画像のような多色画像から、モノクロ画像のような単色画像を作成する画像作成装置、画像作成方法および画像作成プログラムに関する。
【背景技術】
【０００２】
カラー画像からモノクロ画像を作成する従来の装置では、例えば、Ａｄｏｂｅ  Ｓｙｓｔｅｍｓ  Ｉｎｃｏｒｐｏｒａｔｅｄ社の画像編集ソフトウェア「ＰＨＯＴＯＳＨＯＰ（登録商標）」のチャンネルミキサ機能を使用することで、ユーザは対話形式により、カラー画像が構成される基本色を所望する割合で混合し、カラー画像からモノクロ画像を生成した。
【発明の概要】
【発明が解決しようとする課題】
【０００３】
しかしながら、前記のような装置では、色成分の混合割合を設定してモノクロ画像を作成する場合、作成されるモノクロ画像の輝度は、各基本色の混合量の総和に依存した。従って、色成分ごとに混合割合を独立して変更すると、総和が小さくなりすぎたり、逆に大きくなりすぎたりして、画像が潰れて視認が困難になるため、画像を視認しつつ各基本色の混合割合を調整することは難しいかった。
【課題を解決するための手段】
【０００４】
上記した課題を解決するために、本発明の画像作成装置は、多色画像が入力される画像入力部と、複数の色成分のそれぞれを混合する割合を示す第１の混合割合が入力される混合割合入力部と、前記入力された第１の混合割合に基づき、それぞれの色成分の総和が略一定になるように第２の混合割合を算出する算出部と、前記多色画像の色成分を前記算出された第２の混合割合に応じて混合することで単色画像を作成する作成部と、を備えることを特徴とする。
【０００５】
この発明によれば、多色画像が入力されると共に、複数の色成分のそれぞれを混合する割合を示す第１の混合割合が入力され、この第１の混合割合に基づいて、それぞれの総和が略一定になるように第２の混合割合が算出され、この第２の混合割合に基づいて色成分が混合されて単色画像が作成される。従って、各混合割合の総和が維持されることから、一方の基本色の混合割合を減少させても、残りの基本色の混合割合の和が、減少した分だけ増加され、画像の輝度が大きく低下することなく、画像の視認性が維持される。従って、設定した混合割合により生じる画像の潰れが抑制され、各基本色の混合割合を視認して調整できる。
【０００６】
本発明の画像作成装置では、前記作成部は、更に、前記多色画像の色成分を前記入力された第１の混合割合に応じて混合することで単色画像を作成すると共に、前記作成部で作成する単色画像を、前記第１の混合割合に応じて作成するか、または前記第２の混合割合に応じて作成するかを選択するための選択部を更に備えることが好ましい。
【０００７】
この発明によれば、各色成分の混合割合の総和を一定にした単色画像と、入力された各基本色の混合割合に応じた単色画像とを選択して作成できるため、単色画像の作成の自由度が増加する。
【０００８】
本発明の画像作成装置では、前記複数の色成分は３色から成り、ＲＧＢおよびＣＭＹのように複数色のデータのパラメータにより明度が定まるものに適用しても良い。
【０００９】
本発明の画像作成装置では、前記算出部は、前記第２の混合割合のうち前記複数の色成分の１つが連続して増減した場合、前記第２の混合割合のうち他の色成分をそれぞれ等しく連続して減増させ、前記第２の混合割合のそれぞれの色成分の総和を略一定に維持することが好ましい。
【００１０】
この発明によれば、１つの色成分の混合割合が連続して増減する場合、他の色成分の混合割合も連続して減増され、第２の混合割合の総和が略一定に維持されるため、作成される画像が連続して滑らかに変化するため、ユーザの意図に沿う単色画像を作成できる。
【００１１】
本発明の画像作成装置では、前記算出部は、前記第１の混合割合のそれぞれが等しい場合、前記第２の混合割合もそれぞれ等しくなるように算出することが好ましい。
【００１２】
この発明によれば、単色画像は、色成分の混合割合の配合バランスが均等に維持されて作成されるため、ユーザの意図に沿う単色画像を作成できる。
【００１３】
本発明の画像作成装置では、前記単色画像は、白黒画像であっても良い。
【００１４】
本発明の画像作成装置では、前記算出部は、前記第２の混合割合の算出に際して、
ｂ’Ｒ＝ｂＲ／（ｂＲ＋ｂＧ＋ｂＢ）＋ｋ
ｂ’Ｇ＝ｂＧ／（ｂＲ＋ｂＧ＋ｂＢ）＋ｋ
ｂ’Ｂ＝ｂＢ／（ｂＲ＋ｂＧ＋ｂＢ）＋ｋ
ｂＲ，ｂＧ，ｂＢ：各基本色の第１の混合割合
ｂ’Ｒ，ｂ’Ｇ，ｂ’Ｂ：各基本色の第２の混合割合
ｋ：所定の定数
で示される演算式を用いても良い。
【００１５】
更に、前記算出部は、
ｂＲ＋ｂＧ＋ｂＢ＝０
で示される関係となる場合、（ｂＲ＋ｂＧ＋ｂＢ）の値を０以外の所定の値に置換しても良い。
【００１６】
また、本発明の画像作成装置では、前記算出部は、前記第２の混合割合の算出に際して、
ｂ’Ｒ＝ｂＲ−（αｂＲ＋βｂＧ＋γｂＢ）／（α＋β＋γ）＋ｋ
ｂ’Ｇ＝ｂＧ−（γｂＲ＋αｂＧ＋βｂＢ）／（α＋β＋γ）＋ｋ
ｂ’Ｂ＝ｂＢ−（βｂＲ＋γｂＧ＋αｂＢ）／（α＋β＋γ）＋ｋ
ｂＲ，ｂＧ，ｂＢ：各基本色の第１の混合割合
ｂ’Ｒ，ｂ’Ｇ，ｂ’Ｂ：各基本色の第２の混合割合
α、β、γ、ｋ：所定の定数
で示される演算式を用いても良い。
【００１７】
上記した課題を解決するために、本発明の画像作成方法は、多色画像が入力される画像入力工程と、複数の色成分のそれぞれを混合する割合を示す第１の混合割合が入力される混合割合入力工程と、前記入力された第１の混合割合に基づき、それぞれの色成分の総和が略一定になるように第２の混合割合を算出する算出工程と、前記多色画像の色成分を前記算出された第２の混合割合に応じて混合することで単色画像を作成する作成工程と、を備えることを特徴とする。
【００１８】
この発明によれば、多色画像が入力されると共に、複数の色成分のそれぞれを混合する割合を示す第１の混合割合が入力され、この第１の混合割合に基づいて、それぞれの総和が略一定になるように第２の混合割合が算出され、この第２の混合割合に基づいて色成分が混合されて単色画像が作成される。従って、各混合割合の総和が維持されることから、一方の基本色の混合割合を減少させても、残りの基本色の混合割合の和が、減少した分だけ増加され、画像の輝度が大きく低下することなく、画像の視認性が維持される。従って、設定した混合割合により生じる画像の潰れが抑制され、各基本色の混合割合を視認して調整できる。
【００１９】
上記した課題を解決するために、本発明の画像作成プログラムは、多色画像が入力される画像入力手順と、複数の色成分のそれぞれを混合する割合を示す第１の混合割合が入力される混合割合入力手順と、前記入力された第１の混合割合に基づき、それぞれの色成分の総和が略一定になるように第２の混合割合を算出する算出手順と、前記多色画像の色成分を前記算出された第２の混合割合に応じて混合することで単色画像を作成する作成手順と、をコンピュータに実行させることを特徴とする。
【００２０】
この発明によれば、多色画像が入力されると共に、複数の色成分のそれぞれを混合する割合を示す第１の混合割合が入力され、この第１の混合割合に基づいて、それぞれの総和が略一定になるように第２の混合割合が算出され、この第２の混合割合に基づいて色成分が混合されて単色画像が作成される。従って、各混合割合の総和が維持されることから、一方の基本色の混合割合を減少させても、残りの基本色の混合割合の和が、減少した分だけ増加され、画像の輝度が大きく低下することなく、画像の視認性が維持される。従って、設定した混合割合により生じる画像の潰れが抑制され、各基本色の混合割合を視認して調整できる。
【図面の簡単な説明】
【００２１】
【図１】本発明の実施形態に係る画像作成装置を適用した画像処理装置の構成を示す図。
【図２】画像処理装置の機能構成を示すブロック図。
【図３】ディスプレイの表示画面上に表示されるメインウィンドウを示す図。
【図４】画像作成装置の機能を設定する単色画像作成ウィンドウを示す図。
【図５】モノクロ画像が作成される処理の流れを示すフローチャート。
【発明を実施するための形態】
【００２２】
以下、本発明の実施の形態を、図面を用いて説明する。
（実施形態）
【００２３】
図１は、本発明の画像作成装置５（図２）を適用した画像処理装置１０の構成を示す。この画像処理装置１０は、外観視、画像処理装置１０を制御するプログラムを実行するコンピュータ１２と、コンピュータ１２から出力される情報を表示するディスプレイ１４と、コンピュータ１２から出力される情報を印刷するプリンタ２４と、この画像処理装置１０の使用者からコンピュータ１２に対して指示が入力されるキーボード１６およびマウス１８とを備える。更に、デジタルカメラ２０およびスキャナ２２は、画像を読み込む手段の一例として、コンピュータ１２と接続される。
【００２４】
このコンピュータ１２は、図示は略すが、演算処理を行うＣＰＵ（Ｃｅｎｔｒａｌ  Ｐｒｏｃｅｓｓｉｎｇ  Ｕｎｉｔ）や、ＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ），フラッシュメモリ等のメモリや、ハードディスクや着脱可能なメモリカード等の記憶装置をハードウェアとして備える。これらのハードウェアは、バスを介してそれぞれの信号が授受可能に接続され、メモリやハードディスクに記憶されるプログラムに基づき、種々の情報の処理が実行される。
【００２５】
図２は、画像処理装置１０の機能構成を示すブロック図である。この画像処理装置１０には、画像作成装置５が適用されている。この画像作成装置５は、画像入力部３０と、混合割合選択部３２と、第１混合割合入力部３４と、第２混合割合算出部３６と、単色画像作成部３８と、単色画像出力部４０とを備え、入力された多色（カラー）の画像に対して、基本色毎の所望する割合に応じた単色画像を作成して出力する。ここで、単色画像は、無彩色でグレーを含む白黒（モノクロ）画像や、所定の色のみで表示する画像が想定できるが、以降の説明および理解を容易にすべく、単色画像としてモノクロ画像を想定する。画像処理装置１０は、ユーザにより画像が選択される画像選択部５０と、画像を印刷する画像印刷部５２と、画像をレイアウトする画像レイアウト部５４と、画像データを取得する画像取得部５６と、画像データを保存する画像保存部５８と、画像表示部６０を備える。これらの機能部の各機能は、前記したハードウェアとソフトウェアとが有機的に協働することにより実現される。
【００２６】
最初に、画像作成装置５の各機能部について説明する。画像入力部３０は、複数の色成分から成る画素で構成される多色画像のデータが入力される。本実施形態では、この多色画像のデータは、画像保存部５８に保存され、画像選択部５０で選択可能な画像の中から、ユーザにより選択される。ここで入力された多色画像のデータは、単色画像作成部３８に送られる。
【００２７】
第１混合割合入力部３４は、複数の基本色のそれぞれを混合する割合を示す第１の混合割合がそれぞれ入力される。本実施形態では、色成分を構成する基本色は、赤（Ｒ）、緑（Ｇ）および青（Ｂ）の光の三原色を採用するが、これに限定されず、シアン（Ｃ）、マゼンタ（Ｍ）およびイエロー（Ｙ）の３色の組合せも採用できる。更に、基本色は３色に限定するものでは無く、ブラック（Ｋ）やホワイト（Ｗ）等を加えても良い。また、混合割合は、百分率（％）で表示され、それぞれの基本色に対する第１の混合割合は、ユーザにより入力される。ここで入力された第１の混合割合は、第２混合割合算出部３６に送られる。
【００２８】
第２混合割合算出部３６は、第１混合割合入力部３４で入力されたそれぞれの第１の混合割合に基づき、それぞれの総和が一定になるように第２の混合割合を基本色毎に算出し、算出された第２の混合割合は、単色画像作成部３８に送られる。より具体的には、第２混合割合算出部３６は、第２の混合割合のうち、１つの基本色の混合割合が連続して増減された場合、他の基本色の混合割合をそれぞれ等しく連続して増減させることにより、第２の混合割合のそれぞれの総和の一定を維持する。また、第２混合割合算出部３６は、第１の混合割合のそれぞれが等しい場合、第２の混合割合もそれぞれ等しくなるように算出する。ここで、カラー画像からモノクロ画像を作成する場合、モノクロ画像の任意の領域において、それぞれの基本色（Ｒ，Ｇ，Ｂ）の輝度値は、それぞれ等しくなり、各基本色の輝度値をＫとすると、次のような関係式で表示できる。
【００２９】
ｒ２×Ｒ＋ｇ２×Ｇ＋ｂ２×Ｂ＋Ｎ＝Ｋ・・・（式１）
【００３０】
この中で、Ｒ，Ｇ，Ｂは、それぞれ赤、緑および青の画素成分（プレーン）の混合量（ブレンド量）を示し、ｒ２，ｇ２およびｂ２は、それぞれのプレーンに対する混合割合（％）を示す。更に、Ｎは、対象とする画像の下地の色を示す所定値を示し、例えば、画像がポジ画像の場合は０になり、画像がネガ（反転）画像の場合は、２５６となる。ここで、本発明においては、輝度の低下を抑制して画像の視認性を維持すべく、第２の混合割合の各混合割合の総和を一定に保つため、次のような関係が維持される。
【００３１】
ｒ２＋ｇ２＋ｂ２≒１００（％）・・・（式２）
【００３２】
ここで、第１混合割合入力部３４でユーザにより入力された各基本色（Ｒ，Ｇ，Ｂ）の混合割合を、ｒ１，ｇ１およびｂ１（いずれも％単位）とすると、各基本色の第２の混合割合は、次式（式３）を用いて算出できる。
ｒ２＝ｒ１−（ｒ１＋ｇ１＋ｂ１）／３＋ｋ（％）  ・・・（式３）
ｇ２＝ｇ１−（ｒ１＋ｇ１＋ｂ１）／３＋ｋ（％）  ・・・（式３）
ｂ２＝ｂ１−（ｒ１＋ｇ１＋ｂ１）／３＋ｋ（％）  ・・・（式３）
【００３３】
尚、本実施形態では、画像処理装置１０が起動された状態では、ｒ１，ｇ１およびｂ１が全て０に設定されているため、初期状態では、上記した式が示すように、ｒ２，ｇ２およびｂ２が全て３３％となる。尚、上記した式のｋは、（ｒ１＋ｇ１＋ｂ１）が正の値又は０の場合は、正値（＋３３）を採用し、（ｒ１＋ｇ１＋ｂ１）が負の値の場合は、負値（−３３）を採用する。ここで、例えば、赤のプレーンの割合のみが、ｑ％加算された場合、各基本色の混合割合は、次式（式４）のような関係になり、各基本色の混合割合が変化しても、それぞれの基本色のブレンド量の総和が略同一に保たれるため、モノクロ画像の輝度が維持される。
【００３４】
ｒ２：ｇ２：ｂ２＝（３３＋２×ｑ／３）：（３３−ｑ／３）：（３３−ｑ／３）・・・（式４）
【００３５】
また、各基本色の第２の混合割合は、上記した式に限定されるものでは無く、各割合の関係を維持すべく、次式（式５）も採用できる。
【００３６】
ｒ２＝ｒ１／（ｒ１＋ｇ１＋ｂ１）＋ｋ（％）  ・・・（式５）
ｇ２＝ｇ１／（ｒ１＋ｇ１＋ｂ１）＋ｋ（％）  ・・・（式５）
ｂ２＝ｂ１／（ｒ１＋ｇ１＋ｂ１）＋ｋ（％）  ・・・（式５）
【００３７】
ここで、（ｒ１＋ｇ１＋ｂ１）が０の値になる場合、第２混合割合算出部３６は、０以外の所定の値、例えばｒ１、ｇ１、ｂ１の組合せ毎に予め決めた値に置換する。更に、ａ，ｂおよびｃを所定の定数として示した次式（式６）も採用できる。
【００３８】
ｒ２＝ｒ１−（ａ×ｒ１＋ｂ×ｇ１＋ｃ×ｂ１）／（ａ＋ｂ＋ｃ）＋ｋ（％）  ・・・（式６）
ｇ２＝ｇ１−（ｃ×ｒ１＋ａ×ｇ１＋ｂ×ｂ１）／（ａ＋ｂ＋ｃ）＋ｋ（％）  ・・・（式６）
ｂ２＝ｂ１−（ｂ×ｒ１＋ｃ×ｇ１＋ａ×ｂ１）／（ａ＋ｂ＋ｃ）＋ｋ（％）  ・・・（式６）
【００３９】
混合割合選択部３２は、単色画像作成部３８で作成する単色画像を、第１の混合割合に基づき作成するか、または第２の混合割合に基づき作成するかがユーザにより選択される。ここで選択された情報は、単色画像作成部３８に送られる。
【００４０】
単色画像作成部３８は、混合割合選択部３２で選択された混合割合に基づき、画像入力部３０から送られる多色画像のデータから、モノクロ画像を作成する。ここで作成されたモノクロ画像のデータは、単色画像出力部４０を経て、画像保存部５８に送られて保存されたり、画像表示部６０に送られて表示されたりする。このようにして作成されて保存された単色画像のデータは、画像選択部５０で必要に応じてユーザに選択された後、画像レイアウト部５４でレイアウトされたり、画像印刷部５２で印刷されたりする。
【００４１】
尚、本実施形態では、上記した各機能の中で、使用者からの指示で動作する機能は、ディスプレイ１４に表示され、使用者からの指示を受け入れ可能なユーザインターフェイスを備えるウィンドウを介して実現される。図３は、ディスプレイ１４の表示画面上に表示されるメインウィンドウ１４０を示す。このメインウィンドウ１４０は、画像処理装置１０を制御するプログラムが起動された場合、ディスプレイ１４に表示される。このメインウィンドウ１４０は、ブラウズ処理に関するブラウズ処理領域１５０、レイアウト処理に関するレイアウト処理領域１６０、および印刷処理に関するプリント処理領域１７０を有する。
【００４２】
ブラウズ処理領域１５０は、画像選択部５０の機能を有し、画像保存部５８に保存されている選択可能な画像１５２が所定の順序に従い、選択可能に表示される。また、レイアウト処理領域１６０は、テンプレートを選択する定型画像選択領域１６２と、選択された画像１６６をテンプレートに流し込んだ合成画像表示領域１６４とが表示される。更に、プリント処理領域１７０は、画像印刷部５２の機能を有し、印刷するプリンタ２４等を選択するプリンタ選択領域１７２と、このプリンタ選択領域１７２で選択されたプリンタ２４により印刷されるプリントイメージ領域１７４とが表示される。
【００４３】
図４は、画像作成装置５の機能を設定可能な単色画像作成ウィンドウ１００を示す図である。この単色画像作成ウィンドウ１００は、ブラウズ処理領域１５０において選択可能に表示される画像をマウス１８等によりダブルクリックされることでディスプレイ１４の表示画面上に表示される。更に、図示は略すが、ディスプレイ１４の表示画面上において、この単色画像作成ウィンドウ１００と並んで、画像表示部６０が表示される。この単色画像作成ウィンドウ１００は、単色モード選択領域１０２と、第１混合割合入力部３４の機能を有するチャンネルミキサ１１０と、混合割合選択部３２の機能を有する輝度維持選択領域１１２とが表示される。このチャンネルミキサ１１０は、第１の混合割合の中で赤の混合割合を設定する領域１０４と、第１の混合割合の中で緑の混合割合を設定する領域１０６と、第１の混合割合の中で青の混合割合を設定する領域１０８とを有する。これらの領域（１０４，１０６，１０８）は、それぞれスライダで構成され、ユーザは、それぞれの基本色毎に所望する混合割合を設定できる。尚、これらの領域（１０４，１０６，１０８）での設定した値の総和が負の場合は、ネガ画像が作成され、正の場合は、ポジ画像が作成される。
【００４４】
また、輝度維持選択領域１１２は、チェックボックスを備え、ユーザがチェックした場合は、第２混合割合算出部３６で算出された第２の混合割合に基づいて単色画像が作成され、他方でユーザがチェックを外した場合は、第１混合割合入力部３４で入力された第１の混合割合に基づいて単色画像が作成される。尚、単色モード選択領域１０２は、モノクロモード以外に、カラー画像に対して、各基本色のバランスを調整するためのカラーモードも選択できる。
【００４５】
図５は、画像作成装置５により、モノクロ画像が作成される処理の流れを示すフローチャートである。この処理が実行されると、最初に、画像選択部５０で選択されたカラー画像のデータが画像入力部３０に入力される（ステップＳ２００）。
【００４６】
入力されたデータが示すカラー画像は、単色画像作成部３８に送られ、画像表示部６０に表示されると共に、この画像を見るユーザにより、各基本色の混合割合が第１混合割合入力部３４から入力される（ステップＳ２０２）。
【００４７】
次に、輝度を維持するモード、即ち、第２の混合割合に基づいてモノクロ画像を作成するべく、ユーザにより指示されたか、否か判定され（ステップＳ２０４）、輝度を維持するモードが選択されない場合（ステップＳ２０４でＮｏ）、第１混合割合入力部３４で入力された各基本色の混合割合に基づき、式１に従い単色画像作成部３８によりモノクロ画像が作成される（ステップＳ２１０）。続いて、作成された画像が出力されて（ステップＳ２１２）、一連の処理が終了する。
【００４８】
他方で、輝度を維持するモードが選択された場合（ステップＳ２０４でＹｅｓ）、第２混合割合算出部３６により、第２の混合割合が式３に従い算出される（ステップＳ２０６）。続いて、算出された第２の混合割合に基づき、式１に従い単色画像作成部３８によりモノクロ画像が作成され（ステップＳ２０８）、作成された画像が出力されて（ステップＳ２１２）、一連の処理が終了する。
【００４９】
以上述べた実施形態によれば、以下のような効果を奏する。
（１）上記した演算やデータ処理をコンピュータ１２に実行させるため、多色画像から単色画像の作成を迅速にできる。また、作成された単色画像のデータは、コンピュータ１２に保存できるため、単色画像の観賞に留まらず、画像の分析や調査等に適用できる。
【００５０】
以上、本発明を図示した実施形態に基づいて説明したが、本発明は、本実施形態に限定されるものではなく、以下に述べるような変形例も想定できる。
画像作成装置５は、本実施形態で述べた様態に限定されるものでは無く、例えば、画像作成装置５の各機能が電子回路として集積化され、集積回路のようにチップ化された様態でも良い。
【符号の説明】
【００５１】
５…画像作成装置、１０…画像処理装置、１２…コンピュータ、１４…ディスプレイ、１６…キーボード、１８…マウス、２０…デジタルカメラ、２２…スキャナ、２４…プリンタ、３０…画像入力部、３２…混合割合選択部、３４…第１混合割合入力部、３６…第２混合割合算出部、３８…単色画像作成部、４０…単色画像出力部、５０…画像選択部、５２…画像印刷部、５４…画像レイアウト部、５６…画像取得部、５８…画像保存部、６０…画像表示部、１００…単色画像作成ウィンドウ、１０２…単色モード選択領域、１０４…赤の混合割合を設定する領域、１０６…緑の混合割合を設定する領域、１０８…青の混合割合を設定する領域、１１０…チャンネルミキサ、１１２…輝度維持選択領域、１４０…メインウィンドウ、１５０…ブラウズ処理領域、１５２…選択可能な画像、１６０…レイアウト処理領域、１６２…定型画像選択領域、１６４…合成画像表示領域、１６６…選択された画像、１７０…プリント処理領域、１７２…プリンタ選択領域、１７４…プリントイメージ領域。
【図１】
2011130510.tif 000003
【図２】
2011130510.tif 000004
【図３】
2011130510.tif 000005
【図４】
2011130510.tif 000006
【図５】
2011130510.tif 000007
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
多色画像が入力される画像入力部と、
輝度を算出する際に複数の色成分のそれぞれに乗算する複数の係数である混合係数の、第１の混合係数が入力される混合係数入力部と、
前記入力された第１の混合係数に基づき、それぞれの色成分の混合係数の総和が維持されるように第２の混合係数を算出する算出部と、
前記多色画像の色成分を前記算出された第２の混合係数に応じて混合することで単色画像を作成する作成部と、
を備えることを特徴とする画像作成装置。
【請求項２】
請求項１に記載の画像作成装置において、
前記作成部は、前記多色画像の色成分を前記入力された第１の混合係数に応じて混合することで単色画像を作成し、
前記作成部で作成する単色画像を、前記第１の混合係数に応じて作成するか、または前記第２の混合係数に応じて作成するかをユーザーの操作に応じて選択するための選択部を更に備えることを特徴とする画像作成装置。
【請求項３】
請求項１乃至２に記載の画像作成装置において、
前記複数の色成分は３色から成り、ＲＧＢおよびＣＭＹの何れかであることを特徴とする画像作成装置。
【請求項４】
請求項１乃至３のいずれか１項に記載の画像作成装置において、
前記算出部は、前記第２の混合係数のうち前記複数の色成分の１つが連続して増減した場合、前記第２の混合係数のうち他の色成分をそれぞれ等しく連続して減増させ、前記第２の混合係数のそれぞれの色成分の混合係数の総和を維持することを特徴とする画像作成装置。
【請求項５】
請求項１乃至４のいずれか１項に記載の画像作成装置において、
前記算出部は、前記第１の混合係数のそれぞれが等しい場合、前記第２の混合係数もそれぞれ等しくなるように算出することを特徴とする画像作成装置。
【請求項６】
請求項１乃至５のいずれか１項に記載の画像作成装置において、
前記単色画像は、白黒画像であることを特徴とする画像作成装置。
【請求項７】
請求項３に記載の画像作成装置において、
前記算出部は、前記第２の混合係数の算出に際して、
ｂ’Ｒ＝ｂＲ／（ｂＲ＋ｂＧ＋ｂＢ）＋ｋ
ｂ’Ｇ＝ｂＧ／（ｂＲ＋ｂＧ＋ｂＢ）＋ｋ
ｂ’Ｂ＝ｂＢ／（ｂＲ＋ｂＧ＋ｂＢ）＋ｋ
ｂＲ，ｂＧ，ｂＢ：各基本色の第１の混合係数
ｂ’Ｒ，ｂ’Ｇ，ｂ’Ｂ：各基本色の第２の混合係数
ｋ：所定の定数
で示される演算式を用いることを特徴とする画像作成装置。
【請求項８】
請求項７に記載の画像作成装置において、
ｂＲ＋ｂＧ＋ｂＢ＝０
で示される関係となる場合、（ｂＲ＋ｂＧ＋ｂＢ）の値を０以外の所定の値に置換することを特徴とする画像作成装置。
【請求項９】
請求項３に記載の画像作成装置において、
前記算出部は、前記第２の混合係数の算出に際して、
ｂ’Ｒ＝ｂＲ− （αｂＲ＋βｂＧ＋γｂＢ）／（α＋β＋γ）＋ｋ
ｂ’Ｇ＝ｂＧ− （γｂＲ＋αｂＧ＋βｂＢ）／（α＋β＋γ）＋ｋ
ｂ’Ｂ＝ｂＢ− （βｂＲ＋γｂＧ＋αｂＢ）／（α＋β＋γ）＋ｋ
ｂＲ，ｂＧ，ｂＢ：各基本色の第１の混合係数
ｂ’Ｒ，ｂ’Ｇ，ｂ’Ｂ：各基本色の第２の混合係数
α、β、γ、ｋ：所定の定数
で示される演算式を用いることを特徴とする画像作成装置。
【請求項１０】
画像入力部に、多色画像が入力される画像入力工程と、
輝度を算出する際に複数の色成分のそれぞれに乗算する複数の係数である混合係数の、第１の混合係数が入力される混合係数入力工程と、
算出部が、前記入力された第１の混合係数に基づき、それぞれの色成分の色成分の混合係数の総和が維持されるように第２の混合係数を算出する算出工程と、
作成部が、前記多色画像の色成分を前記算出された第２の混合係数に応じて混合することで単色画像を作成する作成工程と、
を備えることを特徴とする画像作成方法。
【請求項１１】
多色画像が入力される画像入力手順と、
輝度を算出する際に複数の色成分のそれぞれに乗算する複数の係数である混合係数の、第１の混合係数が入力される混合係数入力手順と、
前記入力された第１の混合係数に基づき、それぞれの色成分の色成分の混合係数の総和が維持されるように第２の混合係数を算出する算出手順と、
前記多色画像の色成分を前記算出された第２の混合係数に応じて混合することで単色画像を作成する作成手順と、
をコンピュータに実行させることを特徴とする画像作成プログラム。